(57)【要約】【課題】電子部品が配置された基板等を収納した筐体を有する電子機器において、屋外のような過酷な環境でファン装置を間欠駆動して用いる場合であっても、ファンの回転を妨げる氷の発生を抑制する。【解決手段】実施形態のファン装置は、複数のブレードと、前記ブレードを回転駆動する駆動モータと、前記ブレード周囲に配置された断面円形状のシュラウドと、を備えており、複数の水除去用溝が、シュラウドのブレードに対向する面に設けられている。【選択図】図２
2014136996.tif 000002
【特許請求の範囲】
【請求項１】
複数のブレードと、
前記ブレードを回転駆動する駆動モータと、
前記ブレードの周囲に配置された断面円形状のシュラウドと、
前記シュラウドの前記ブレードに対向する面に設けられた複数の水除去用溝と、
を備えるファン装置。
【請求項２】
複数の前記水除去用溝は、前記シュラウドの全周にわたって前記ブレードの回転軸に沿って設けられている、
請求項１記載のファン装置。
【請求項３】
前記水除去用溝は、前記シュラウドの周方向に沿ってそれぞれ円環状に形成されている、
請求項１記載のファン装置。
【請求項４】
複数の前記水除去用溝は、互いに平行な複数の第１水除去用溝と、
互いに平行であるとともに、前記第１水除去用溝とそれぞれ交差する複数の第２水除去用溝と、
を備えている、
請求項１記載のファン装置。
【請求項５】
前記第１水除去用溝は、前記ブレードの回転軸に沿って設けられている、
請求項４記載のファン装置。
【請求項６】
前記第１水除去用溝は、前記シュラウドの周方向に沿って円環状に形成されている、
請求項４記載のファン装置。
【請求項７】
前記第１水除去用溝は、前記ブレードの回転軸に沿って設けられ、
前記第２水除去用溝は、前記シュラウドの周方向に沿って円環状に形成されている、
請求項４記載のファン装置。
【請求項８】
前記シュラウドはケースと一体に形成されており、
前記水除去用溝は、前記ケースの外面に連通する排水用連通孔が設けられている、
請求項１乃至請求項７のいずれかに記載のファン装置。
【請求項９】
前記排水用連通孔は、複数の前記水除去用溝のそれぞれに設けられている、
請求項８記載のファン装置。
【請求項１０】
複数のブレードと、
前記ブレードを回転駆動する駆動モータと、
前記ブレードの周囲に配置された断面円形状のシュラウドと、
前記ブレードの流体取り込み側の面に設けられ、各ブレードの先端から、前記駆動モータの回転軸側に向かって延在する複数の水除去用溝と、
を備えるファン装置。
【発明の詳細な説明】
【技術分野】
【０００１】
本発明の実施形態は、ファン装置に関する。
【背景技術】
【０００２】
従来電子部品が配置された基板等を収納した筐体を有する電子機器においては、熱による不具合を生じやすい電子機器を安定に動作させるため、筐体表面の開口部に冷却用のファン装置が取り付けられている。
このような電子機器において、長期継続して運用するような機器においては、消費電力を低減するため，冷却用のファン装置の駆動は間欠的に行われるのが一般的である。
【先行技術文献】
【特許文献】
【０００３】
【特許文献１】特開２００９−２５０２２６号公報
【発明の概要】
【発明が解決しようとする課題】
【０００４】
ところで、携帯電話端末装置の無線通信を中継する無線基地局などは、屋外に設置される。
このような屋外に設置される電子機器に設けられるファン装置においては、結露などにより水分が付着しても良いように、防水加工が施されており、内部の基板部品への影響を低減している。
【０００５】
また、ファン装置においては、ブレードの周りにシュラウドを形成するケースを設けており、ブレードの回転により生じた風を効率よくながすために、シュラウドとブレードとの間の隙間は、回転を妨げない程度に近接させた状態とされているのが、一般的であった。
【０００６】
このため、ファン装置を間欠動作させた場合等には、結露などにより生じた水滴が、ブレード（羽）と、シュラウドと、の間を連結固定するように凍ってしまい、次回のファンの駆動時にブレードを回転させることができなくなる虞があった。
【０００７】
本発明は、上記に鑑みてなされたものであって、例えば、屋外のような過酷な環境でファン装置を間欠駆動して用いる場合であっても、ファンの回転を妨げる氷の発生を抑制することができるファン装置を提供することを目的としている。
【課題を解決するための手段】
【０００８】
実施形態のファン装置は、複数のブレードと、前記ブレードを回転駆動する駆動モータと、前記ブレード周囲に配置された断面円形状のシュラウドと、を備えており、複数の水除去用溝が、シュラウドのブレードに対向する面に設けられている。
【図面の簡単な説明】
【０００９】
【図１】図１は、第１実施形態のファン装置を用いた屋外設置型の電子機器の外観図である。
【図２】図２は、第１実施形態のファン装置の説明図である。
【図３】図３は、図２の円ＡＡ内を拡大した図である。
【図４】図４は、第２実施形態のファン装置の説明図である。
【図５】図５は、図２の円ＡＢ内を拡大した図である。
【図６】図６は、第３実施形態のファン装置の側面図である。
【図７】図７は、図６のＢ−Ｂ断面拡大図である。
【図８】図８は、第８実施形態のファン装置の側面図である。
【図９】図９は、図８の断面拡大図である。
【図１０】図１０は、第５実施形態のシュラウドの内周面の表面拡大図である。
【図１１】図１１は、第６実施形態のシュラウドの内周面の表面拡大図である。
【図１２】図１２は、第７実施形態のファン装置の背面図である。
【発明を実施するための形態】
【００１０】
次に実施形態について図面を参照して説明する。
［１］第１実施形態
図１は、第１実施形態のファン装置を用いた屋外設置型の電子機器の外観図である。
電子機器１０は、金属製の筐体１１と、筐体１１の側面パネル１１Ｐの開口１２に対応する位置に設けられたファン装置１３と、側面パネル１１Ｐに設けられ、筐体１１内に収納された図示しない電子機器基板を冷却するための外気を取り込むための吸気口１４と、を備えている。
【００１１】
図２は、第１実施形態のファン装置の説明図である。
図２（ａ）は、ファン装置の正面図、図２（ｂ）は、ファン装置の背面図、図２（ｃ）は、ファン装置の側面図である。
【００１２】
ファン装置１３は、大別すると、ケース２１と、複数のブレード２２を備えたブレード部と、を備えている。
ケース２１は、ケース本体２４と、ケース本体２４に複数（図２では、３本）のアーム２５により支持され、ブレード部を回転駆動する図示しない駆動モータを収納したモータケース部２６と、を備えている。
【００１３】
さらにケース２１には、ブレード部の周囲を囲むように導風構造となるシュラウド２７が形成されている。
シュラウド２７の内周面には、全周にわたってブレード部のブレード２２に対向するように、水除去用溝２８がブレード部の回転軸ＡＸに沿って延在するように設けられている。
【００１４】
図３は、図２の円ＡＡ内を拡大した図である。
ブレード２２と、シュラウド２７との間は、所定距離ｄだけ離間して設けられているが、水除去用溝２８は、このブレード２２と、シュラウド２７との間に溜まった水滴を毛管現象などの表面張力により除去し、ブレード部を回転させていない状態で、外気温の低下により水滴がブレード２２とシュラウド２７との間で凍ってしまわないようにするためである。
【００１５】
すなわち、水滴がブレード２２とシュラウド２７との間に至った場合、水除去用溝２８内に直ちに移動することとなる。特にブレード側に撥水処理（＝濡れ性が低い）を施しておけば、より濡れ性が高いシュラウド２７側に水滴が移動することとなる。
【００１６】
この結果、本第１実施形態によれば、ファン装置１３を間欠運転させたとしても、結露などにより生じた水滴が、ブレード２２と、シュラウド２７と、の間を連結固定するように凍ってしまうことを抑制でき、次回のファンの駆動時にブレードを回転させることができる。
【００１７】
［２］第２実施形態
上記第１実施形態においては、シュラウドの内周面に、全周にわたってブレードに対向するように、水除去用溝が駆動モータの回転軸に沿って延在するように設けていたが、本第２実施形態は、水除去用溝を、シュラウドの周方向に沿ってそれぞれ円環状に形成した場合の実施形態である。
【００１８】
図４は、第２実施形態のファン装置の説明図である。
図４（ａ）は、ファン装置の正面図、図４（ｂ）は、ファン装置のＡ−Ａ断面図である。図４において、図２と同様の部分には、同一の符号を付すものとする。
【００１９】
ファン装置１３は、大別すると、ケース２１と、複数のブレード２２を備えたブレード部と、を備えている。
ケース２１は、ケース本体２４と、ケース本体２４に複数（図４では、３本）のアーム２５により支持され、ブレード部を回転駆動する図示しない駆動モータを収納したモータケース部２６と、を備えている。
【００２０】
さらにケース２１には、ブレード部の周囲を囲むように導風構造となるシュラウド２７Ａが形成されている。
シュラウド２７Ａの内周面には、シュラウド２７Ａの周方向に沿ってそれぞれ円環状に形成した複数の水除去用溝３１が設けられている。
ここで、水除去用溝３１は、シュラウド２７Ａの表面のうち、少なくともブレード２２とより近接する領域に設けられていれば良いが、シュラウド２７Ａの表面全域に設けても構わない。
【００２１】
図５は、図２の円ＡＢ内を拡大した図である。
ブレード２２と、シュラウド２７Ａとの間は、所定距離ｄだけ離間して設けられているが、水除去用溝３１も水除去用溝２８と同様に、ブレード２２と、シュラウド２７Ａとの間に溜まった水滴を毛管現象などの表面張力により除去する。
【００２２】
したがって、水滴がブレード２２とシュラウド２７Ａとの間に至った場合、水除去用溝３１内に直ちに水滴が移動することとなる。この場合においても、第１実施形態と同様にブレード側に撥水処理（＝濡れ性が低い）を施しておけば、より濡れ性が高いシュラウド２７Ａ側に水滴が移動することとなる。
【００２３】
この結果、ファン装置１３を間欠運転させたとしても、結露などにより生じた水滴が、ブレード２２と、シュラウド２７Ａと、の間を連結固定するように凍ってしまうことを抑制でき、次回のファンの駆動時にブレードを回転させることができる。
【００２４】
［３］第３実施形態
本第３実施形態は、第１実施形態のファン装置において、さらに水除去用溝にケースの外面に連通する排水用連通孔を設けた場合の実施形態である。
この場合において、ファン装置がいずれの向きに設置されても良いように、排水用連通孔は、複数の水除去用溝のそれぞれに設けるようにしているが、設置時に下方となる位置に配置されている水除去用溝に対して選択的に設けるように構成することも可能である。
【００２５】
図６は、第３実施形態のファン装置の側面図である。
図６において、図２と同様の部分には、同一の符号を付すものとする。
図６に示すように、シュラウド２７の内周面には、全周にわたってブレード部のブレード２２に対向するように、水除去用溝２８がブレード部の回転軸ＡＸに沿って延在するように設けられている。
そして、各水除去用溝２８には、その中央部分にケース本体２４（ケース）の外面に連通する排水用連通孔４１が設けられている。
【００２６】
図７は、図６のＢ−Ｂ断面拡大図である。
ブレード２２と、シュラウド２７との間は、所定距離だけ離間して設けられているが、水除去用溝２８は、このブレード２２と、シュラウド２７との間に溜まった水滴を毛管現象などの表面張力により除去する。
さらに各水除去用溝２８には、ケース本体２４（ケース２１）の外面に連通する排水用連通孔４１が設けられているので、この排水用連通孔４１を介して、除去した水は、流出あるいは蒸発することによりファン装置１３の外部に排出される。
【００２７】
従って、本第３実施形態によれば、より確実に、結露などにより生じた水滴をブレード２２と、シュラウド２７と、の間から除去することができ、水滴が凍ってしまうことにより、ファンの駆動ができないことをより一層抑制できる。
【００２８】
［４］第４実施形態
本第４実施形態は、第２実施形態のファン装置において、さらに水除去用溝にケースの外面に連通する排水用連通孔を設けた場合の実施形態である。
【００２９】
この場合において、ファン装置がいずれの向きに設置されても良いように、排水用連通孔は、複数の水除去用溝のそれぞれに設けるようにしているが、設置時に下方となる位置に配置されている水除去用溝に対して選択的に設けるように構成することも可能である。
【００３０】
図８は、第４実施形態のファン装置の側面図である。
図８において、図４と同様の部分には、同一の符号を付すものとする。
図８に示すように、シュラウド２７Ａの内周面には、シュラウド２７Ａの周方向に沿ってそれぞれ円環状に形成した複数の水除去用溝３１が設けられている。
【００３１】
そして、各水除去用溝３１には、その中央部分にケース本体２４（ケース２１）の外面に連通する排水用連通孔５１が設けられている。
図８においては、ケース本体２４の４つの側面のそれぞれに１箇所ずつ、排水用連通孔５１を形成する構成を採っているが、複数箇所設ける構成とすることも可能である。
【００３２】
図９は、図８の断面拡大図である。
ブレード２２と、シュラウド２７Ａとの間は、所定距離だけ離間して設けられているが、水除去用溝３１も水除去用溝２８と同様に、ブレード２２と、シュラウド２７Ａとの間に溜まった水滴を毛管現象などの表面張力により除去する。
【００３３】
さらに各水除去用溝３１には、ケース本体２４（ケース）の外面に連通する排水用連通孔５１が設けられているので、この排水用連通孔５１を介して、除去した水は、流出あるいは蒸発することによりファン装置１３の外部に排出される。
【００３４】
従って、本第４実施形態によれば、第３実施形態と同様に、より確実に、結露などにより生じた水滴をブレード２２と、シュラウド２７Ａと、の間から除去することができ、水滴が凍ってしまうことにより、ファンの駆動ができないことをより一層抑制できる。
【００３５】
［５］第５実施形態
以上の各実施形態は、水除去用溝を互いに平行に設けるだけのものであったが、本第５実施形態は、水除去用溝として、互いに平行な複数の第１水除去用溝と、互いに平行であるとともに、第１水除去用溝とそれぞれ交差する複数の第２水除去用溝と、の２種類の溝を形成した場合の実施形態である。
【００３６】
図１０は、第５実施形態のシュラウドの内周面の表面拡大図である。
図１０に示すように、シュラウド２７Ｂの表面には、互いに平行な複数の第１水除去用溝６１と、互いに平行であるとともに、第１水除去用溝６１とそれぞれ交差（図１０の例では、直交）する複数の第２水除去用溝６２と、を備えている。
【００３７】
ここで、第１水除去用溝６１は、第１実施形態の水除去用溝２８と同様に、ブレード部の回転軸ＡＸに沿って延在するように設けられている。
【００３８】
また、第２水除去用溝６２は、第２実施形態の水除去用溝３１と同様に、シュラウド２７Ｂの周方向に沿ってそれぞれ円環状に設けられている。
この結果、シュラウド２７Ｂの表面には、四角柱状の突起６３が無数に配置されている。
【００３９】
これらの構成を有する、本第５実施形態によれば、第１実施形態及び第２実施形態の両者の効果を併せ持っており、より確実により確実に、結露などにより生じた水滴をブレード２２と、シュラウド２７Ｂと、の間から除去できる。
【００４０】
［６］第６実施形態
本第６実施形態は、第６実施形態の構成に加えて、排水用連通孔を設けた場合の実施形態である。
図１１は、第６実施形態のシュラウドの内周面の表面拡大図である。
図１１において、図１０と同一の部分には、同一の符号を付すものとする。
【００４１】
図１１に示すように、シュラウド２７Ｃの表面には、第５実施形態と同様に、互いに平行な複数の第１水除去用溝６１と、互いに平行であるとともに、第１水除去用溝６１とそれぞれ交差（図１１の例では、直交）する複数の第２水除去用溝６２と、を備えている。
【００４２】
さらに本第６実施形態においては、所定数の第１水除去用溝６１と第２水除去用溝６２との交差部分に、ケース本体２４（ケース）の外面に連通する排水用連通孔６５が設けられている。
【００４３】
この結果、第１水除去用溝６１及び第２水除去用溝６２により、除去された水滴は、排水用連通孔６５を介して、流出あるいは蒸発することによりファン装置１３の外部に排出される。
【００４４】
従って、本第６実施形態によれば、第５実施形態の効果に加えて、より確実に水を除去できる。
【００４５】
［７］第７実施形態
以上の各実施形態は、シュラウド側に水除去用溝を設けた場合の実施形態であったが、本第７実施形態は、ブレード側に水除去用溝を設けた場合の実施形態である。
図１２は、第７実施形態のファン装置の背面図である。
図１２において、図２と同様の部分には、同一の符号を付すものとする。
【００４６】
ファン装置１３は、大別すると、ケース２１と、複数のブレード２２を備えたブレード部と、を備え、ケース２１は、ケース本体２４と、ケース本体２４に複数（図１２では、３本）のアーム２５により支持され、ブレード部を回転駆動する図示しない駆動モータを収納したモータケース部２６と、を備えている。
【００４７】
さらにケース２１には、ブレード部の周囲を囲むように導風構造となるシュラウド２７が形成されている。
そして、各ブレード２２の背面側には、各ブレード２２の先端部分２２Ａに当該先端部分２２Ａから、駆動モータの回転軸Ｒ側に向かって（矢印ＡＹに相当）延在する複数の水除去用溝７１が複数設けられている。
【００４８】
ブレード２２と、シュラウド２７との間は、所定距離だけ離間して設けられているが、水除去用溝７１によれば、上記各実施形態の水除去用溝と同様に、ブレード２２と、シュラウド２７Ａとの間に溜まった水滴を毛管現象などの表面張力によりブレード側に除去する。
【００４９】
したがって、本第７実施形態においても、結露などにより生じた水滴をブレード２２と、シュラウド２７と、の間から除去することができ、水滴が凍ってしまうことにより、ファンの駆動ができないことを抑制できる。
【００５０】
［８］実施形態の効果
以上説明したとおり、第１実施形態〜第７実施形態によれば、ファンが停止している状態であっても、シュラウドのブレードに対向する面に設けられた複数の水除去用溝により、ブレードとシュラウドとの間に水滴が至ったとしても、直ちに水滴を、ブレードとシュラウドとの間から除去することができ、次回のファン駆動時に確実に駆動させることができる。
【００５１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５２】
１０    電子機器
１１    筐体
１１Ｐ  側面パネル
１２    開口
１３    ファン装置
１４    吸気口
２１    ケース
２２    ブレード
２２Ａ  先端部分
２４    ケース本体
２７、２７Ａ、２７Ｂ、２７Ｃ  シュラウド
２８、３１、７１    水除去用溝
４１、５１、６５    排水用連通孔
６１    第１水除去用溝
６２    第２水除去用溝
６３    突起
Ｒ      回転軸
【図１】
2014136996.tif 000003
【図２】
2014136996.tif 000004
【図３】
2014136996.tif 000005
【図４】
2014136996.tif 000006
【図５】
2014136996.tif 000007
【図６】
2014136996.tif 000008
【図７】
2014136996.tif 000009
【図８】
2014136996.tif 000010
【図９】
2014136996.tif 000011
【図１０】
2014136996.tif 000012
【図１１】
2014136996.tif 000013
【図１２】
2014136996.tif 000014